(57)【要約】ハウジング１０の貫通孔Ｈ１０に挿入された撮像デバイス２が、接着剤４０を介して接着されている内視鏡であって、撮像デバイス２が先端レンズ２１および光学部材２２を含む光学ユニット２０と、撮像ユニット３０とを有し、先端レンズ２１は貫通孔Ｈ１０の先端部に水密固定されており、光学部材２２はレンズ枠２９で保持されており、貫通孔Ｈ１０に挿入されているレンズ枠２９の一部が接着剤４０を介して接着されており、撮像ユニット３０はレンズ枠２９と固定されているユニット枠３９を有しユニット枠３９は前部が貫通孔Ｈ１０に挿入され接着剤４０を介して接着されており、接着剤４０の弾性率が、０．１ＭＰａ以上１０ＭＰａ以下である。
2019044053.tif 000002
【特許請求の範囲】
【請求項１】
挿入部の先端部に、貫通孔のあるハウジングが配設されており、前記貫通孔に撮像デバイスが挿入され、前記貫通孔に固定されている内視鏡であって、
前記撮像デバイスが、
先端レンズおよび複数の光学部材を含む光学ユニットと、
前記光学ユニットが集光した被写体像を電気信号に変換する撮像ユニットと、を有し、
前記先端レンズは、前記貫通孔の先端部に水密固定されており、
前記複数の光学部材はレンズ枠で保持されており、前記レンズ枠は前記貫通孔に挿入され、その一部が接着剤を介して前記貫通孔に接着されており、
前記撮像ユニットは、前記レンズ枠と固定されているユニット枠を有し、前記ユニット枠は前部が前記貫通孔に挿入され、前記前部が前記接着剤を介して前記貫通孔に接着されており、
前記接着剤の弾性率が、０．１ＭＰａ以上１０ＭＰａ以下であることを特徴とする内視鏡。
【請求項２】
前記ユニット枠が、前記貫通孔に挿入されない後部の外周面に、中心軸に対して回転対称に配置されている、複数の突起部を有することを特徴とする請求項１に記載の内視鏡。
【請求項３】
前記ユニット枠の先端部および前記レンズ枠と前記接着剤との間に、離型剤がコーティングされていることを特徴とする請求項１または請求項２に記載の内視鏡。
【請求項４】
前記ユニット枠の先端部および前記レンズ枠と前記接着剤との間を覆う環状部材が配設されていることを特徴とする請求項１または請求項２に記載の内視鏡。
【発明の詳細な説明】
【技術分野】
【０００１】
本発明は、挿入部の先端部に撮像デバイスが配設されている内視鏡に関する。
【背景技術】
【０００２】
外部から観察できない被検体の体内に細長い挿入部を挿入して、先端部に配設された撮像デバイスにより体内を観察したり、先端部から突出させた処置具を用いて治療／処置をしたりする内視鏡が広く用いられている。【０００３】
内視鏡は高価であるため、故障した場合には、部品交換により修理が行われる。また、製造組立工程における検査で不良と判断された内視鏡も、部品交換により再組立が行われる。【０００４】
内視鏡の部品の中で撮像デバイスは特に高価であり、交換修理が強く望まれていた。撮像デバイスは、先端レンズを含む光学ユニットと、撮像素子を含む撮像ユニットと、を有する。【０００５】
内視鏡の消毒滅菌方法として、オートクレーブ法（高温高圧蒸気法）が主流になりつつある。オートクレーブ法は、煩雑な作業を伴わず、滅菌後にすぐに使用でき、しかもランニングコストが安い。しかし、オートクレーブ法では、内視鏡全体が高温高圧状態にさらされる。このため、光学ユニットの先端レンズは、レンズ枠に水密固定されている。また、撮像ユニットも先端部に強固に固定されている。【０００６】
このため、撮像デバイスの交換作業は容易でなかった。【０００７】
なお、細長い撮像デバイスの後部からは信号ケーブルが延設されている。このため、挿入部の先端部に外部から強い衝撃力が印加されると、細長い撮像デバイスは固定されている先端部を起点に、後部が大きく振動するため、先端レンズが破損したり、水密状態が維持できなったりするおそれがあった。【０００８】
日本国特開２００５−２２７７２８号公報には、先端レンズを、レンズ枠に保持されている光学ユニットの他の光学部材とは別に、先端部材と低融点ガラスで構成された接着剤を介して固定した内視鏡が開示されている。
【先行技術文献】
【特許文献】
【０００９】
【特許文献１】特開２００５−２２７７２８号公報
【発明の概要】
【発明が解決しようとする課題】
【００１０】
本発明の実施形態は、撮像デバイスの交換が容易な内視鏡を提供することを目的とする。
【課題を解決するための手段】
【００１１】
実施形態の内視鏡は、挿入部の先端部に、貫通孔のあるハウジングが配設されており、前記貫通孔に撮像デバイスが挿入され、前記貫通孔に固定されている内視鏡であって、前記撮像デバイスが、先端レンズおよび複数の光学部材を含む光学ユニットと、前記光学ユニットが集光した被写体像を電気信号に変換する撮像ユニットと、を有し、前記先端レンズは、前記貫通孔の先端部に水密固定されており、前記複数の光学部材はレンズ枠で保持されており、前記レンズ枠は前記貫通孔に挿入され、その一部が接着剤を介して前記貫通孔に接着されており、前記撮像ユニットは、前記レンズ枠と固定されているユニット枠を有し、前記ユニット枠は前部が前記貫通孔に挿入され、前記前部が前記接着剤を介して前記貫通孔に接着されており、前記接着剤の弾性率が、０．１ＭＰａ以上１０ＭＰａ以下である。
【発明の効果】
【００１２】
本発明の実施形態によれば撮像デバイスの交換が容易な内視鏡を提供できる。
【図面の簡単な説明】
【００１３】
【図１】実施形態の内視鏡の外観図である。
【図２】第１実施形態の内視鏡の先端部の断面図である。
【図３】第１実施形態の内視鏡の先端部の断面分解図である。
【図４】第１実施形態の内視鏡の撮像デバイスのリペア工程を説明するための先端部の断面図である。
【図５】第２実施形態の内視鏡の撮像ユニットの断面図である。
【図６】第２実施形態の内視鏡の撮像ユニットの正面模式図である。
【図７】第２実施形態の変形例の内視鏡の撮像ユニットの正面模式図である。
【図８】第３実施形態の内視鏡の先端部の断面図である。
【図９】第３実施形態の変形例の内視鏡の先端部の断面図である。
【発明を実施するための形態】
【００１４】
＜第１実施形態＞
図１に示すように、本実施形態の内視鏡１は、撮像デバイス２が配設されている挿入部９の先端部９Ａと、挿入部９の細長い軟性部９Ｂの基端側に配設された操作部９Ｃと、操作部９Ｃから延出するユニバーサルコード９Ｄと、を含む。なお、先端部９Ａに配設された撮像デバイス２から出力された撮像信号は、挿入部９およびユニバーサルコード９Ｄを挿通する信号ケーブル３５（図２参照）を介してプロセッサ（不図示）に伝送される。なお、内視鏡１は医療用であるが、工業用でもよい。
【００１５】
図２および図３に示すように、挿入部９の先端部９Ａには、略円筒状のハウジング１０が配設されている。例えば、金属からなるハウジング１０には、貫通孔Ｈ９、Ｈ１０がある。貫通孔Ｈ９は、処理具等が挿通されるチャンネルの開口部を構成している。一方、貫通孔Ｈ１０には撮像デバイス２が挿入され固定されている。
【００１６】
なお、以下の説明において、各実施形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。また、一部の構成要素の図示、符号の付与は省略する場合がある。また、被写体の方向、すなわち、図２等において左方向を、「前方向」、右方向を「後ろ方向」という。
【００１７】
撮像デバイス２は、光学ユニット２０と撮像ユニット３０とを有する。光学ユニット２０は、先端レンズ２１と、複数の光学部材２２（例えば、レンズ２２Ａ、フィルタ２２Ｂ、間隔調整環２２Ｃ、レンズ２２Ｄ）と、を含む。
【００１８】
先端レンズ２１は、石英またはサファイア等の光学材料からなる。先端レンズ２１には、安定化ジルコニア（ＹＳＺ）、イットリウム・アルミニウム・ガーネット（ＹＡＧ）などの透明な光学材料を使うことも可能である。また、非結晶質のガラスでもオートクレーブ耐性が高いものは、先端レンズ２１に適用可能である。
【００１９】
先端レンズ２１は広視野を得るために負のパワーを有する平凹レンズである。しかし、先端レンズ２１は光学ユニット２０の構成によっては平凸レンズでもよい。しかし、先端レンズ２１の外面は、付着防止及び衝撃による破損防止のため、平面であることが好ましい。
【００２０】
先端レンズ２１は、ハウジング１０の貫通孔Ｈ１０の先端部に水密固定されている。ここで、水密とは、液体の水だけでなく水蒸気が隙間から浸入することが防止され、先端レンズ２１の内面に結露が発生するおそれの無い状態を意味する。
【００２１】
貫通孔Ｈ１０の前側（被写体側）から貫通孔Ｈ１０に挿入された先端レンズ２１は、例えば、接着剤、ガラスまたは半田等を介して、ハウジング１０に直接固定されている。
【００２２】
これに対して、光学ユニット２０の先端レンズ２１以外の複数の光学部材２２は、レンズ枠２９に保持された状態で、貫通孔Ｈ１０に後ろ側から挿入されている。
【００２３】
撮像ユニット３０は、光学ユニット２０が集光した被写体像を電気信号に変換する。撮像ユニット３０は、撮像素子３１、カバーガラス３２、信号処理部３３、および信号ケーブル３５を含む。撮像ユニット３０は、ユニット枠３９に収容され、封止樹脂３６により隙間が充填されている。
【００２４】
レンズ枠２９は、ユニット枠３９に収容されている撮像素子３１との距離が調整されてから、ユニット枠３９に強固に固定されている。例えば、レンズ枠２９とユニット枠３９とは嵌合固定されている。両者の接合部は、さらに、エポキシ等の高弾性率樹脂、または半田により、補強されていてもよい。
【００２５】
ハウジング１０の貫通孔Ｈ１０に、後ろ側から挿入された撮像デバイス２は、後部は貫通孔Ｈ１０から突出している。すなわち、ユニット枠３９は前部が貫通孔Ｈ１０に挿入され、挿入されている前部の外周面が接着剤４０を介して貫通孔Ｈ１０に接着されている。
【００２６】
レンズ枠２９も、接着剤４０を介して貫通孔Ｈ１０に接着されている。
【００２７】
そして、内視鏡１では、先端レンズ２１を除く撮像デバイス２を、ハウジング１０の貫通孔Ｈ１０に接着している接着剤４０の弾性率が、１０ＭＰａ以下である。
【００２８】
図４に示すように、内視鏡４では、撮像デバイス２の交換を行う場合、先端レンズ２１を除く撮像デバイス２を、ハウジング１０から後方に、容易に引き抜くことができる。すなわち、ハウジング１０と撮像デバイス２とは、接着剤４０を介して接着されているが、弾性率が１０ＭＰａ以下の接着剤４０は剪断応力により容易に破断する。言い替えれば、接着剤４０は、ハウジング１０に付着した接着剤４０Ａと、撮像デバイス２に付着した接着剤４０Ｂとに、容易に破断できる。
【００２９】
撮像デバイス２を再利用する場合には、撮像デバイス２に付着した接着剤４０Ｂは、有機溶媒等により簡単に除去できる。なお、内視鏡１の撮像デバイス２の再利用は、厳密には、先端レンズ２１を除く撮像デバイス２の再利用である。
【００３０】
一方、動作不良の撮像デバイス２を交換する場合にも、ハウジング１０に付着した接着剤４０Ａは簡単に除去できる。先端レンズ２１の水密固定は、低融点ガラスまたは半田等を用いるため、繁雑である。しかし、内視鏡１では、ハウジング１０に固定されている先端レンズ２１は、そのまま利用できるため、さらに交換作業が容易である。
【００３１】
弾性率（ヤング率）が、１０ＭＰａ以下の接着剤４０としては、軟性シリコーン樹脂、軟質ポリエステル樹脂、軟質塩化ビニル樹脂、またはゴム等を用いることができる。ここで、例えば、シリコーン樹脂であっても、５０ＭＰａの樹脂は接着剤４０として用いることはできない。もちろん、接着剤として広く使用されている、エポキシ樹脂（弾性率：８ＧＰａ）等は、接着剤４０には不適である。
【００３２】
なお、弾性率（ヤング率）は、例えば、規格（ISO 527-1、JIS K 7161）に基づいて、２５℃で測定された引っ張り弾性率である。
【００３３】
接着剤４０の弾性率の下限は特に制限は無いが、工業的に容易に入手可能な接着剤では、例えば、０．１ＭＰａ以上である。
【００３４】
また、弾性率が１０ＭＰａ以下と極めて軟らかい樹脂からなる接着剤４０は、挿入部９の先端部９Ａに外部から強い衝撃力が印加されても、撮像デバイス２の振動を吸収する。また、先端レンズ２１は、先端レンズ２１以外の撮像デバイス２と一体化されていない。このため、内視鏡１の先端レンズ２１は耐衝撃性に優れている。
【００３５】
＜第２実施形態＞
第２実施形態の内視鏡１Ａは、内視鏡１と類似し同じ効果を有するため、同じ機能の構成要素には同じ符号を付し説明は省略する。
【００３６】
図６および図７に示すように内視鏡１Ａでは、撮像ユニット３０Ａのユニット枠３９が、貫通孔Ｈ１０に挿入されない後部の外周面に、中心軸Ｏに対して回転対称に配置されている、複数の突起部３９Ａ１、３９Ａ２、３９Ａ３を有する。複数の突起部３９Ａ１、３９Ａ２、３９Ａ３は、ユニット枠３９に接合されていてもよいし、ユニット枠３９と一体形成されていてもよい。
【００３７】
撮像デバイス２の交換作業において、ハウジング１０から撮像デバイス２を引き抜くために、例えば、信号ケーブル３５を引っ張ると信号ケーブル３５が断線するおそれがあった。また、撮像デバイス２の外周を強い力で把持すると、撮像デバイス２が変形するおそれがあった。
【００３８】
内視鏡１Ａでは、撮像デバイス２Ａには複数の突起部３９Ａ１、３９Ａ２、３９Ａ３があるため、例えば、突起部３９Ａ１等の前側面と当接する治具（不図示）を用いることで、信号ケーブル３５および撮像デバイス２を損傷することなく、容易にハウジング１０から撮像デバイス２Ａを引き抜くことができる。
【００３９】
＜第２実施形態の変形例＞
第２実施形態の変形例の内視鏡１Ｂは、内視鏡１Ａと類似しているため、同じ機能の構成要素には同じ符号を付し説明は省略する。
【００４０】
図６に示すように内視鏡１Ｂでは、撮像ユニット３０Ｂは撮像素子３１の外形に合わせて、略直方体である。図示しないが光学ユニット２０は、内視鏡１と同じように略円筒形である。
【００４１】
撮像ユニット３０Ｂはユニット枠３９の外周面に、中心軸Ｏに対して回転対称に配置されている２つの突起部３９Ｂ１、３９Ｂ２がある。
【００４２】
このため、内視鏡１Ｂは、内視鏡１Ａと同じ効果を有する。
【００４３】
＜第３実施形態＞
第３実施形態の内視鏡１Ｃは、内視鏡１と類似し同じ効果を有するため、同じ機能の構成要素には同じ符号を付し説明は省略する。
【００４４】
図８に示すように、内視鏡１Ｃでは、ユニット枠３９の先端部と接着剤４０との間、およびレンズ枠２９と接着剤４０との間、すなわち、ユニット枠３９とレンズ枠２９との接合部に、離型剤５０がコーティングされている。離型剤５０は、接着剤４０の接合部との接着力を弱くする。なお、離型剤５０は、ハウジング１０の貫通孔Ｈ１０の接合部と対向する領域にコーティングされていてもよい。
【００４５】
離型剤５０は、例えば、市販されている、フッ素系離型剤またはシリコーン系離型剤を用いる。離型剤５０は、液体でもよいし、粘性の高いゲル状でもよい。
【００４６】
撮像デバイス２の交換作業において、ハウジング１０から撮像デバイス２を引き抜くときに、ユニット枠３９とレンズ枠２９との接合部に大きな応力が印加されると、接合部が損傷するおそれがある。
【００４７】
内視鏡１Ｃは、ハウジング１０から撮像デバイス２を引き抜くときに、ユニット枠３９とレンズ枠２９との接合部に大きな応力が印加されるおそれがない。
【００４８】
＜第３実施形態の変形例＞
第３実施形態の変形例の内視鏡１Ｄは、内視鏡１Ｃと類似しているため、同じ機能の構成要素には同じ符号を付し説明は省略する。
【００４９】
図９に示すように、内視鏡１Ｄでは、ユニット枠３９の先端部と接着剤４０との間、およびレンズ枠２９と接着剤４０との間、すなわち、ユニット枠３９とレンズ枠２９との接合部を覆う環状部材５５が配設されている。例えば、環状部材５５はシリコーンゴムチューブからなる。
【００５０】
内視鏡１Ｄは、環状部材５５により接合部は接着剤４０により接着されていない。すなわち、環状部材５５は接合部を覆っているだけである。このため、内視鏡１Ｄでは、ハウジング１０から撮像デバイス２を引き抜くときに、ユニット枠３９とレンズ枠２９との接合部に大きな応力が印加されるおそれがない。
【００５１】
なお、内視鏡１Ｃ、１Ｄにおいても、ユニット枠３９が後部の外周面に中心軸に対して回転対称に配置されている複数の突起部を有していれば、内視鏡１Ａ、１Ｂと同じ効果を有することは言うまでも無い。
【００５２】
本発明は上述した実施形態および変形例等に限定されるものではなく、本発明の要旨を変えない範囲において、種々の変更、組み合わせ、及び改変等ができる。
【００５３】
本出願は、２０１７年８月２９日に日本国に出願された特願２０１７−１６４７０５号を優先権主張の基礎として出願するものであり、上記の開示内容は、本願明細書、請求の範囲に引用されるものとする。
【符号の説明】
【００５４】
１、１Ａ〜１Ｄ…内視鏡
２…撮像デバイス
４…内視鏡
９…挿入部
９Ａ…先端部
９Ｂ…軟性部
９Ｃ…操作部
９Ｄ…ユニバーサルコード
１０…ハウジング
２０…光学ユニット
２１…先端レンズ
２２…光学部材
２２Ａ…レンズ
２２Ｂ…フィルタ
２２Ｃ…絞り
２２Ｄ…レンズ
２９…レンズ枠
３０…撮像ユニット
３１…撮像素子
３２…カバーガラス
３３…信号処理部
３５…信号ケーブル
３６…封止樹脂
３９…ユニット枠
３９Ａ１、３９Ａ２、３９Ａ３…突起部
３９Ｂ１、３９Ｂ２…突起部
４０…接着剤
５０…離型剤
５５…環状部材
Ｈ９、Ｈ１０…貫通孔
Ｏ…中心軸
【図１】
2019044053.tif 000003
【図２】
2019044053.tif 000004
【図３】
2019044053.tif 000005
【図４】
2019044053.tif 000006
【図５】
2019044053.tif 000007
【図６】
2019044053.tif 000008
【図７】
2019044053.tif 000009
【図８】
2019044053.tif 000010
【図９】
2019044053.tif 000011
【手続補正書】
【提出日】令和2年2月5日(2020.2.5)
【手続補正２】
【補正対象書類名】明細書
【補正対象項目名】０００１
【補正方法】変更
【補正の内容】
【０００１】
本発明は、挿入部の先端部に撮像デバイスが配設されている内視鏡、内視鏡の撮像ユニット、および、内視鏡の撮像デバイスの交換方法に関する。
【手続補正３】
【補正対象書類名】明細書
【補正対象項目名】００１０
【補正方法】変更
【補正の内容】
【００１０】
本発明の実施形態は、撮像デバイスの交換が容易な内視鏡、交換が容易な撮像ユニット、および、撮像デバイスの交換が容易な内視鏡の撮像デバイスの交換方法を提供することを目的とする。
【手続補正４】
【補正対象書類名】明細書
【補正対象項目名】００１１
【補正方法】変更
【補正の内容】
【００１１】
実施形態の内視鏡は、挿入部の先端部に、貫通孔のあるハウジングが配設されており、前記貫通孔に挿入された撮像デバイスが前記貫通孔に固定されている内視鏡であって、前記撮像デバイスが、先端レンズおよび複数の光学部材を含む光学ユニットと、前記光学ユニットが集光した被写体像を電気信号に変換する撮像ユニットと、を有し、前記先端レンズは、前記貫通孔の先端部に水密固定されており、前記複数の光学部材はレンズ枠によって保持されており、前記レンズ枠は前記貫通孔に挿入され、前記レンズ枠の一部が接着剤を用いて前記貫通孔に接着されており、前記撮像ユニットは、前記レンズ枠と固定されているユニット枠を有し、前記ユニット枠は前部が前記貫通孔に挿入され、前記前部が前記接着剤を用いて前記貫通孔に接着されており、前記ユニット枠が、前記貫通孔に挿入されていない後部の外周面に複数の突起部を有する。
実施形態の撮像ユニットは、被写体像を電気信号に変換する撮像ユニットであって、撮像素子を内部に保持するユニット枠を有し、前記ユニット枠は外周面に、治具が固定される複数の突起部を有する。
実施形態の撮像デバイスの交換方法は、挿入部の先端部に配設されている、貫通孔のあるハウジングと、前記貫通孔に挿入され前記貫通孔に固定されている撮像デバイスと、を具備する内視鏡の撮像デバイスの交換方法であって、前記撮像デバイスが、先端レンズおよび複数の光学部材を含む光学ユニットと、前記光学ユニットが集光した被写体像を電気信号に変換する撮像ユニットと、を有し、前記先端レンズは、前記貫通孔の先端部に水密固定されており、前記複数の光学部材はレンズ枠によって保持されており、前記レンズ枠は前記貫通孔に挿入され、前記レンズ枠の一部は接着剤を用いて前記貫通孔に接着されており、前記撮像ユニットは、前記レンズ枠と固定されているユニット枠を有し、前記ユニット枠は前部が前記貫通孔に挿入され、前記前部が前記接着剤を用いて前記貫通孔に接着されており、前記貫通孔に挿入されていない後部の外周面に、治具が固定される複数の突起部を有し、前記複数の突起部に、前記治具が固定される工程と、前記挿入部の前記先端部が保持された状態において、前記治具を前記内視鏡の基端側に引くことによって、前記ハウジングから前記先端レンズ以外の撮像デバイスが引き抜かれる工程と、を具備する。
【手続補正５】
【補正対象書類名】明細書
【補正対象項目名】００１２
【補正方法】変更
【補正の内容】
【００１２】
本発明の実施形態によれば撮像デバイスの交換が容易な内視鏡、交換が容易な撮像ユニット、および、撮像デバイスの交換が容易な内視鏡の撮像デバイスの交換方法を提供できる。
【手続補正６】
【補正対象書類名】明細書
【補正対象項目名】００３６
【補正方法】変更
【補正の内容】
【００３６】
図６および図７に示すように内視鏡１Ａでは、撮像ユニット３０Ａのユニット枠３９が、貫通孔Ｈ１０に挿入されない後部の外周面に、中心軸Ｏに対して回転対称に配置されている、複数の突起部３９Ａ１、３９Ａ２、３９Ａ３を有する。複数の突起部３９Ａ１、３９Ａ２、３９Ａ３は、ユニット枠３９に接合されていてもよいし、ユニット枠３９と一体形成されていてもよい。
すなわち、ユニット枠３９は外周面に、ハウジング１０から撮像デバイス２Ａを引き抜くための治具が固定される複数の突起部３９Ａ１、３９Ａ２、３９Ａ３を有する。
【手続補正７】
【補正対象書類名】明細書
【補正対象項目名】００３８
【補正方法】変更
【補正の内容】
【００３８】
内視鏡１Ａでは、撮像デバイス２Ａには複数の突起部３９Ａ１、３９Ａ２、３９Ａ３があるため、例えば、突起部３９Ａ１等の前側面と当接する治具（不図示）を用いることで、信号ケーブル３５および撮像デバイス２を損傷することなく、容易にハウジング１０から撮像デバイス２Ａを引き抜くことができる。
すなわち、内視鏡１Ａの撮像デバイスの交換方法は、複数の突起部３９Ａ１、３９Ａ２、３９Ａ３に、治具が固定される工程と、挿入部９の先端部９Ａが保持された状態において、治具を内視鏡９の基端側に引くことによって、ハウジング１０から先端レンズ２１以外の撮像デバイス２が引き抜かれる工程と、を具備する。
【手続補正８】
【補正対象書類名】明細書
【補正対象項目名】００４４
【補正方法】変更
【補正の内容】
【００４４】
図８に示すように、内視鏡１Ｃでは、ユニット枠３９の前部と接着剤４０との間、およびレンズ枠２９と接着剤４０との間、すなわち、ユニット枠３９とレンズ枠２９との接合部に、離型剤５０がコーティングされている。離型剤５０は、接着剤４０の接合部との接着力を弱くする。なお、離型剤５０は、ハウジング１０の貫通孔Ｈ１０の接合部と対向する領域にコーティングされていてもよい。
【手続補正９】
【補正対象書類名】特許請求の範囲
【補正対象項目名】全文
【補正方法】変更
【補正の内容】
【特許請求の範囲】
【請求項１】
挿入部の先端部に、貫通孔のあるハウジングが配設されており、前記貫通孔に挿入された撮像デバイスが前記貫通孔に固定されている内視鏡であって、
前記撮像デバイスが、
先端レンズおよび複数の光学部材を含む光学ユニットと、
前記光学ユニットが集光した被写体像を電気信号に変換する撮像ユニットと、を有し、
前記先端レンズは、前記貫通孔の先端部に水密固定されており、
前記複数の光学部材はレンズ枠によって保持されており、前記レンズ枠は前記貫通孔に挿入され、前記レンズ枠の一部が接着剤を用いて前記貫通孔に接着されており、
前記撮像ユニットは、前記レンズ枠と固定されているユニット枠を有し、前記ユニット枠は前部が前記貫通孔に挿入され、前記前部が前記接着剤を用いて前記貫通孔に接着されており、
前記ユニット枠が、前記貫通孔に挿入されていない後部の外周面に複数の突起部を有することを特徴とする内視鏡。
【請求項２】
前記複数の突起部は、前記ユニット枠の中心軸に対して回転対称に配置されていることを特徴とする請求項１に記載の内視鏡。
【請求項３】
前記ユニット枠の前記前部および前記レンズ枠と前記接着剤との間に、離型剤がコーティングされていることを特徴とする請求項１または請求項２に記載の内視鏡。
【請求項４】
前記ユニット枠の前記前部および前記レンズ枠と前記接着剤との間を覆う環状部材が配設されていることを特徴とする請求項１または請求項２に記載の内視鏡。
【請求項５】
前記接着剤の弾性率が、０．１ＭＰａ以上１０ＭＰａ以下であることを特徴とする請求項１から請求項４のいずれか１項に記載の内視鏡。
【請求項６】
被写体像を電気信号に変換する撮像ユニットであって、
撮像素子を内部に保持するユニット枠を有し、
前記ユニット枠は外周面に、治具が固定される複数の突起部を有することを特徴とする撮像ユニット。
【請求項７】
挿入部の先端部に配設されている、貫通孔のあるハウジングと、
前記貫通孔に挿入され、前記貫通孔に固定されている撮像デバイスと、を具備する内視鏡の撮像デバイスの交換方法であって、
前記撮像デバイスが、先端レンズおよび複数の光学部材を含む光学ユニットと、前記光学ユニットが集光した被写体像を電気信号に変換する撮像ユニットと、を有し、
前記先端レンズは、前記貫通孔の先端部に水密固定されており、
前記複数の光学部材はレンズ枠によって保持されており、前記レンズ枠は前記貫通孔に挿入され、前記レンズ枠の一部は接着剤を用いて前記貫通孔に接着されており、
前記撮像ユニットは、前記レンズ枠と固定されているユニット枠を有し、前記ユニット枠は前部が前記貫通孔に挿入され、前記前部が前記接着剤を用いて前記貫通孔に接着されており、前記貫通孔に挿入されていない後部の外周面に、治具が固定される複数の突起部を有し、
前記複数の突起部に、前記治具が固定される工程と、
前記挿入部の前記先端部が保持された状態において、前記治具を前記内視鏡の基端側に引くことによって、前記ハウジングから前記先端レンズ以外の撮像デバイスが引き抜かれる工程と、を具備すること特徴とする内視鏡の撮像デバイスの交換方法。
【国際調査報告】
2019044053.tif 000012
2019044053.tif 000013
2019044053.tif 000014
2019044053.tif 000015